(57)【要約】【課題】  根茎滓の掘り起しのみならず、キャベツ、白菜、レタス等の低植野菜類などの収穫、除草作業等の多用途に使用し得る掘り起し装置を提供することを目的とする。【解決手段】  複数の掘削ブレードを、メインシャフトの両側に掘削面が対抗する様に傾斜させて配置し、かつ、前後方向に間隔を設けて配置するとともに、メインシャフトの同一側に配置してなる掘削ブレードをメインシャフトに対して直行する方向に位相差を付与して配置した点に存するものである。【選択図】          図１
2005137327.tif 000002
【特許請求の範囲】
【請求項１】
複数の掘削ブレードを、メインシャフトの両側に掘削面が対抗する様に傾斜させて配置し、かつ、前後方向に間隔を設けて配置するとともに、メインシャフトの同一側に配置してなる掘削ブレードをメインシャフトに対して直行する方向に位相差を付与して配置したことを特徴とする掘り起し装置。
【請求項２】
請求項１記載の掘り起し装置において、メインシャフトの後端部に平面が三角形をなす山形の掘返しブレードを配置したことを特徴とする掘り起し装置。
【請求項３】
前述の掘削ブレードをメインシャフトに対する直行方向に位置調整を可能とし、さらに、取付け高さ位置の調整を可能としたことを特徴とする請求項１および２記載の掘り起し装置。
【請求項４】
前述の掘返しブレードを取付け高さ位置の調整を可能とするとともに、該掘返しブレードの取付け角度の調整を可能としたことを特徴とする請求項１ないし３記載の掘り起し装置。
【請求項５】
請求項１ないし４記載の掘り起し装置を、トラクターに着脱自在に取付けられた固定シャ−シの牽引フレームに対して、所定間隔で複数列取付けたことを特徴とする掘り起し装置。
【発明の詳細な説明】
【技術分野】
【０００１】
本発明は、田圃や畑等の耕耘によって土中に埋没した稲株、根株等を鋤き起こすための掘り起こし装置に関するものである。
【背景技術】
【０００２】
田圃や畑等において、農作物を収穫した後の作物の大きなものは圃場外に撤去されるが根株や枝葉、雑草等は耕耘機によって土中に鋤き込み、土中に埋没させて腐蝕させ、堆肥化させることが一般的に行なわれている。特に、近年の稲作においては、労働力不足を補うことからコンバインによる収穫が行なわれるようになり、籾米のみが分離され、この時、稲の残部である茎部は所要寸法に自動的に細断され、田圃の表面に撒布され、しかる後、田植え時まで放置されて、稲の根部と前述する細断された茎部、あるいは、雑草等（以下、根茎滓と言う。）は堆肥化される。しかして、田植え時においては、その直前に２〜３回の掘り起しを行ない、根茎滓の掘り起こし作業を行ない、その状態のままで冠水させて苗代として代掻きを行なって田植えを行なうために、土中に埋没した根茎滓は水面下の土中で腐蝕が進行する。
【０００３】
本来、根茎滓の腐蝕による堆肥化は、地表面あるいはその近傍において、好気性の有機微生物菌による分解に依存するものであるが、根茎滓が土中に埋没されると上記の好気性菌による分解は期待できず、ましてや、冠水状態においては嫌気性菌による分解、腐敗が生じ、メタンガスや硫化水素ガスが発生することになる。
【０００４】
ところで、コンバインによる刈取後においても残された稲株は生育を続け、稲株から新芽が成育するとともに稲の根部はさらに張ることになり、根茎滓の掘り起こしを行なったとしても稲株が成長していることから根部が残ることとなり、掘り起こし作業において完全に根茎滓を土壌表面に掘り起こせずに埋没した状態にあっては、堆肥化への分解が好気性の有機微生物菌による分解に依存できず、遅くなり、加えて、嫌気性菌による分解、腐敗時に病原菌、腐敗菌が繁殖することとなる。
【０００５】
植物、例えば、稲にとっての根部は、稲にとって自立を確保するとともに養分の吸収を図るという重要な機能を奏するものであるが、前述する冠水状態における根茎滓の土中における分解、腐敗は気温の上昇に伴なって進行するが、この温度上昇の時期は稲の成長期とオーバーラップすることから、嫌気性菌による分解、腐敗時に繁殖する病原菌、腐敗菌により稲の根部における毛根、さらには、繊毛根を腐敗させることとなり、稲の成長時期における充分な養分の吸収を妨げることから、稲の成育を阻害することとなり、加えて、前述する分解腐敗時に発生するメタンガスや硫化水素ガスの異臭により農作業を阻害する。
【０００６】
斯かる稲作における問題を解決するためには、水田を整えるに際して、嫌気性菌による分解・腐敗を防止し、好気性菌による分解を行ない得るように、堆肥化のために土中に埋没させた根茎滓を予め田の表層部まで梳き起こすことが好ましいが、従来、このために固有の農器具は存在せず、僅かに、ブレード状のレーキ（あるいはプラウ）により田圃をより深く深耕することによって根茎滓を掘り起こす器具が提案されている。
【０００７】
【特許文献１】特開平１１−２９９３０２号公報（図１参照）
【特許文献２】特開２００１−５７８０１号公報（図１および図２参照）
【発明の開示】
【発明が解決しようとする課題】
【０００８】
前述する農機具にあっては、レーキ（プラウ）によって田圃をより深く深耕するもので、柔軟な土壌の場合に掘り起こしが可能となるものの、稲作後に水抜きをし乾燥して堅くなった圃場の場合には大きな掘削力を要するために大馬力の耕耘機を必要とし、時には、レーキの破損を招来することとなる。また、この深耕作業において使用されるレーキの間隔、あるいは、形状によって根茎滓がレーキに引っかかった場合には掘り起こされることになるが、土壌の掘り起こし整地が主目的であるために、根茎滓は掘り起こし作業による土壌の反転により再度、土中に埋没することとなり、根茎滓の土壌表層部への掘り起こしという本来の目的には程遠いものである。
【０００９】
また、キャベツ、白菜、レタス等の低植野菜類などの収穫に際しては、その殆どが人力により根部から剥脱するものであり、例えば、キャベツの収穫にあっては、中腰の状態で商品としてのキャベツの中心部を根部から剥離するために、作業姿勢から腰部に過度の負担が掛ることになり、また、収穫後にあっては、次ぎの作物の播種のために土中に残存する根茎滓を掘り起こすことが必要となる等、二重の手数を要するものである。
【００１０】
さらには、前述する農機具にあっては、単一の作業、即ち、土壌の掘り起こし作業のみに適用されるものであり、例えば、無農薬栽培においては雑草の繁茂することを避け得ないものであるところ、作物の育成を阻害する雑草の除草作業を定期的に行なうことが要求されるところ、作物を損傷することなく除草作業を行なうことは肉体的に極めて苛酷な労働であって、農家における労働力不足とも相俟って除草作業に代わる薬剤の使用、即ち、除草剤を多用する傾向にあり、この結果、作物に多量の残留農薬が存在する結果となり、これを摂取した人体への影響が懸念される所であり、効率良く除草作業を行ない得る器具の出現が待たれている。
【００１１】
本発明は、前述の諸点に鑑みなされたもので、根茎滓を好気性有機物による分解・腐蝕を促進せしめ、堆肥化せしめることを可能にするために、土中に埋没する根茎滓を効率よく掘り起こすことの出来る、効率的でありながら簡素な構造を有し、トラブル発生のない掘り起し装置を提供することを目的とする。
【００１２】
さらに、本発明の目的は、根茎滓の掘り起しのみならず、キャベツ、白菜、レタス等の低植野菜類などの収穫、除草作業等の多用途に使用し得る掘り起し装置を提供することを目的とする。
【課題を解決するための手段】
【００１３】
前述する課題を解決するための本発明にかかる掘り起し装置の構成は、複数の掘削ブレードを、メインシャフトの両側に掘削面が対抗する様に傾斜させて配置し、かつ、前後方向に間隔を設けて配置するとともに、メインシャフトの同一側に配置してなる掘削ブレードをメインシャフトに対して直行する方向に位相差を付与して配置した点に存するものである。
【００１４】
また、本発明にかかる掘り起し装置の構成は、メインシャフトの後端部に平面が三角形をなす山形の掘返しブレードを配置した点に存するものである。
【００１５】
さらに、本発明にかかる掘り起し装置の構成は、前述の掘削ブレードをメインシャフトに対する直行方向に位置調整を可能とし、さらに、取付け高さ位置の調整を可能とした点に存するものである。
【００１６】
さらにまた、本発明にかかる掘り起し装置の構成は、前述の掘返しブレードを取付け高さ位置の調整を可能とするとともに、該掘返しブレードの取付け角度の調整を可能とした点に存するものである。
【００１７】
加えて、本発明にかかる掘り起し装置の構成は、前述する掘り起し装置を、トラクターに着脱自在に取付けられた固定シャ−シの牽引フレームに対して、所定間隔で複数列取付けた点に存するものである。
【発明の効果】
【００１８】
本発明にかかかる掘り起し装置にあっては、根茎滓の掘り起しに際して、複数の掘削ブレードを、メインシャフトの両側に掘削面が対抗する様に傾斜させて配置し、かつ、前後方向に間隔を設けて配置するとともに、メインシャフトの同一側に配置してなる掘削ブレードをメインシャフトに対して直行する方向に位相差を付与することによって、根茎滓に対して掘削ブレードを交互に作用させて掘り起しを行なうため、掘削ブレードに作用する荷重が分散されることから無理な荷重が作用せず、掘り起し時に土壌が反転し根茎滓を覆うようになった場合においても、メインシャフト後端部に掘返しブレードを配置することによって確実に根茎滓を表面上に掘り起こすことが可能となり、根茎滓の好気性菌による堆肥化が促進させることが可能となる。
【００１９】
また、キャベツ、白菜、レタス等の低植野菜類などの収穫に際しても掘削ブレードによって低植野菜類の根部を裁断することによって簡単に低植野菜類を収穫することを可能にし、さらに、掘削ブレードの配列、ならびに、高さを調整することによって、同時に根茎滓の掘起し作業をなし得るのみならず、場合によっては、掘削ブレードの高さを調整することによって、雑草の根切りを行なうことが可能となる。
【発明を実施するための最良の形態】
【００２０】
本発明に係る掘り起し装置の代表的な例を図１および図２に示し、この掘り起し装置１は、メインシャフト２を中心にしてその両側に一対の掘起しブレード部材３をメインシャフト２の長さ方向に適宜の間隔で装着し、この掘起しブレード部材３には根茎滓を掘起すための掘削ブレード４がそれぞれに装備され、また、その後端部に掘返しブレード５が装着される。かかる掘り起し装置１において、図示を省略したが、トラクターの後部に連結牽引すると、土中に埋没する掘削ブレード４が根茎、さらに、毛根を裁断するとともに、根茎部から掘起し、さらに、後続する掘返しブレード５によって根茎滓を表土上に掘り起こし、根茎滓は常時大気に晒されることになって、この結果、根茎滓の好気性菌による堆肥化を促進させることが可能となる。
【実施例】
【００２１】
以下、図示の実施例に基づいて本発明に係る掘り起し装置１を詳述するが、この実施例は本発明を限定するものではなく、その技術的思想を逸脱しない範囲において自由に変更し得るものである。
掘り起し装置１におけるメインシャフト２には、等間隔に位置決め用の小孔６が穿孔されており、このメインシャフト２に掘起しブレード部材３におけるスライダー７を摺動可能に挿入し、スライダー７に穿孔された小孔（図示は省略した。）にピン８を貫通させて前記小孔６に嵌合することによりメインシャフト２に装着するものであって、メインシャフト２に装着される掘起しブレード部材３の相対的な間隔を調整自在とされている。
【００２２】
掘起しブレード部材３におけるスライダー７にはメインシャフト２と直行方向のガイド９を形成してなり、このガイド９に摺動可能にサイドビーム１０が嵌装されてなり、該サイドビーム１０には前述のメインシャフト２と同様に等間隔に位置決め用の小孔１１が穿孔されており、ガイド９に対するサイドビーム１０の突出量の位置決めが行なわれるが、この時、サイドビーム１０のスライダー７に対する突出量の位置決めを、前述するスライダー７に対する位置決めにおいて使用するピン８により同時に行わせることが構造を簡略化するために望ましい。
【００２３】
さらにサイドビーム１０の一端には鉛直方向のスライドガイド１２が固定され、該スライドガイド１２に板状の掘削アーム１３が嵌装され、この掘削アーム１３はその中間部分から先端部に掛けて進行方向に向かって傾斜された傾斜アーム部１３’を有するもので、この傾斜アーム部１３’に掘削ブレード４がボルト、ネジ等の固定手段１５によって固設されるもので、また、掘削アーム１３にも等間隔に位置決め用の小孔１４が穿孔され、その図示を省略したがピンによりスライドガイド１２に対して固定することによりスライドガイド１２に対する鉛直方向における高さ位置を調整自在とされ、その先端下面には、掘削ブレード４による掘削時に該掘削ブレード４が過度の掘削を行なうことを阻止するために水平方向の安定板２０が固定されている。
【００２４】
掘削ブレード４は図２に示すように平面が略三角形状をなすものであって、図３に基づいてさらに詳述すると、掘削ブレード４は図３（Ｉ）、（ＩＩ）に示される様に、少なくとも一対の対称形状のものが準備され、即ち、尖端部４ａが傾斜アーム部１３’に先端に位置し、その側縁４ｂが傾斜アーム部１３’に沿って位置され、傾斜アーム部１３’に相当する傾斜した掬い面１６を有し、かつ、側方に向けて、かつ、後端部に向かって上方に傾斜する側面掬い面１７を形成してなり、さらに、中間部分から他方の側縁４ｃにかけて根茎滓の掘起しを確実なものとするために側方に張出すとともに上方に傾斜する掬い面１８aを有する掬い部１８を有するもので、裏面側に傾斜アーム部１３’に固定するための取付け座１９を設けている。この掘削ブレード４は、メインシャフト２の両側に対抗する様に配置するために、対称的な形状のものを用意する。また、掘削ブレード４に、根茎の裁断を容易にするために、図４に示すように掬い部１８の側縁に波形のカッティングエッジ１８ｂを形成することも可能である。加えて、掘削ブレード４の底面に、掘削ブレード４による掘削時に該掘削ブレード４が過度の掘削を行うことを阻止するために水平方向の安定板２０を固定することも可能である。
【００２５】
掘り起し装置１に設けられる掘削ブレード４に後続する掘返しブレード５は、メインシャフト２の後端部に着脱自在に嵌着されボルト２２により固定されたキャップ部材２１にヒンジ部２３により傾動可能に軸支され、ネジ軸２６により傾斜角度を調整自在にされたガイド２４に昇降自在に嵌挿されたアーム２５の先端部に固定される。即ち、アーム２５は中間部分から先端部に掛けて進行方向に向かって傾斜アーム部２５’を有するもので、この傾斜アーム部２５’に固定されている。この傾斜アーム部２５’の先端部には掘返し時に掘返しブレード５が過度に土中に侵入することを阻止するために水平方向の安定板３０を固定されている。また、アーム２５には等間隔に小孔２７が穿孔され、アーム２５を昇降させて高さ調整をした後、ガイド２４に穿設された小孔２８とピン（図示を省略。）により結合、固定される。
【００２６】
掘返しブレード５は、図５に一例を示すように、平面形状が三角形（図１参照。）とされ、後方に傾斜する山形の掬い面５ａとその側方に三角状に張出した翼部５ｂを有するもので、裏面にアーム２５に固定する固定座２９を設けてなり、ボルト等の適宜の固定手段によりアーム２５に固着される。また、掘返しブレード５の底面には、掘返し時に掘返しブレード５が過度に土中に侵入することを阻止するために水平方向の安定板３０を固定することも可能である。
【００２７】
上述の構成を有する本発明に係る掘り起し装置１について、根茎滓の掘り起し作業としての使用法について説明するに、一般的に根茎滓の掘起しに際しては作業の効率化を企図して複数の掘り起し装置１を並列にトラクターに連結するが、説明の便宜上一連の掘り起し装置１を装着する場合について説明する。取付けフレーム３１に掘り起し装置１のメインシャフト２を装着するが、この取付けフレーム３１は、該取付けフレーム３１に横架された取付けバー３２を有し、この取付けバー３２に斜行ガイド３３を嵌挿固定し、斜行ガイド３３に先端に摺動ガイド３４を固定された支持アーム３８を装入し、支持アーム３８に穿設されたピン穴３５と斜行ガイド３３に設けられたピン穴３６に高さ方向の位置を調整してピン３７により固定するもので、取付けフレーム３１のブラケット３９をトラクターの連結金具４０に回動可能に連結されるとともに、取付けフレーム３１に立設された固定アーム４１に牽引金具４２をボルト,ピン等の固定手段４３により連結せしめた構成を採用するもので、取付けフレーム３１の角度、あるいは、支持アーム３８の調整により掘り起し装置１の土壌からの高さを調整可能としている。
【００２８】
掘り起し装置１のメインシャフト２に摺動ガイド３４を嵌挿し、適宜の位置においてピン４５により固定する。次いで、メインシャフト２に前後一対の掘削ブレード部材３のスライダー７を嵌挿するとともに固定し、さらに、スライダー７にメインシャフト２と直行方向に摺動可能に嵌挿されたサイドビーム１０の突出量の位置決めを行なわれるが、この突出量は、サイドビーム１０に取付けられる掘削ブレード４のそれぞれが根部を確実に掘り起し得る間隔Ｗに、また、前後における間隔Ｌは、掘り起し作業時に掘起された根茎滓が前後における掘削ブレード４間において滞留し閉塞することなく後方に流れるに適した間隔に調整される。
【００２９】
サイドビーム１０の端部に固設されたスライドガイド１２に、先端に掘削ブレード４を固定してなる掘削アーム１３を嵌挿し、前後における掘削ブレード４の高さ位置を調整し、掘削アーム１３の高さ位置、換言すれば、掘削ブレード４の位置は、稲株の掘起し、あるいは、低植野菜類などの収穫等の作業目的、さらには、田圃の土壌の固さに応じて、掘削アーム１３に過度の負荷が作用することのない様に決定し、掘削アーム１３に設けられた位置決め用の小孔１３にピンを嵌入して固定する。この時、前後における掘削ブレード４の掘削面が対抗するように取付けることが重要であって、これにより掘削時にメインシャフト２に作用する掘削荷重が全体として相殺されることになる。図示の例にあっては、根茎滓の掘起しをメインシャフト２側に掘起すように配置されている。
【００３０】
メインシャフト２の後端に設けられる掘返しブレード５は、前述する通り、キャップ部材２１にヒンジ部２３により傾動可能に軸支されたガイド２４に嵌挿し、掘削ブレード４との関係において高さを調整された後ピンにより固定され、しかる後、ネジ軸２６により傾斜角度を調整される。
【００３１】
掘り起し装置１がトラクターに牽引され進行すると、水平方向の安定板２０により所定の深さを維持しつつ進行し、掘り起しが行われる。前後の掘削ブレード４が傾斜した掬い面１６を有し、かつ、側方に後退する逃げ面１７と側方に張出すとともに上方に傾斜する掬い面１８aを有する掬い部１８が互いに対向する関係に配置されていることから、根茎滓は掬い面１８aにより掘起されつつ、側方に後退する逃げ面１７の作用によって、根茎滓は順次掘り起されメインシャフト２側、即ち、中央側に掘起されることになり、掘削ブレード４間に堆積され、言いかえると、先行する掘削ブレード４によって掘起された根茎滓は、後続する掘削ブレード４の掘り起しに伴って掘返された土によって部分的に覆われることとなる。
【００３２】
掘削ブレード４間に堆積された根茎滓は、掘削ブレード４に後続する掘返しブレード５によって掘起され、詳述すれば、掘り返しの作用は、掘返しブレード５の後方に傾斜する山形の掬い面５ａとその側方に三角状に張出した翼部５ｂに乗り上げ、この傾斜する掬い面５ａの上面を滑りながら上方に移動せしめられ、根茎滓は表面上に落下することになって、確実に掘り返されて大気に曝されることになる。
掘削ブレード４および掘返しブレード５は、掘削作業ならびに掘返し作業に伴なって土中に食込む傾向を示すが、水平方向の安定板２０、３０の作用によって所定の深さを維持しつつ進行しつつ掘返しを行う。
【００３３】
前述における実施例の掘り起し装置にあっては一対の掘削ブレード４を配置した掘り起し装置１の例を示したが、同一サイドに複数の掘削ブレード４を配置することも可能であって、例えば、図６に概略構成を示すように、メインシャフト２の一側に２個の掘削ブレード４ａ、４ｂを配置することにより、それぞれの掘削ブレード４に作用する掘削力を分散せしめることが可能となり、また例えば、キャベツ、白菜、レタス等の低植野菜類などの収穫、例えば、キャベツの収穫を行うに際して商品としてのキャベツの中心部と根部とを先行する掘削ブレード４ａで切断し、土中に残存する根部を後続する掘削ブレード４ｂにより掘起すと言うように、掘削ブレード４に機能分担せしめることにより低植野菜類などの収穫を効率的に行うことが可能となる。
【００３４】
また、前述する実施例の掘り起し装置にあっては掘返しブレードを後端に設置するものであるが、図７に示すように掘削ブレード４に連続して掘返しブレード５’を配列することも可能であって、かかる場合にあっては、先行する掘削ブレード４により掘起された根茎滓および土壌を連続して配置した掘返しブレード５’により側方に排出することとなるため、後続する掘削ブレード４’に先行掘削ブレード４による根茎滓および土壌に起因する負荷を軽減することが可能となり、さらには、掘削ブレード４と掘返しブレード５’とを同一構造とすることにより構成部材が共通化されることから、製造を簡素化する効果を有するものである。
【図面の簡単な説明】
【００３５】
【図１】本発明にかかる掘り起し装置の正面図
【図２】本発明にかかる掘り起し装置の平面図
【図３】掘削ブレードの詳細を示すすもので、（Ｉ）は右勝手用の掘削ブレードの展開図、（Ｉ−ａ）は同側面図、（Ｉ−ｂ）は同平面図、（ＩＩ）は左勝手用の掘削ブレードの展開図、（ＩＩ−ａ）は同側面図、（ＩＩ−ｂ）は同平面図
【図４】掘削ブレードの変形例を示すすもので、（Ｉ）は平面図、（ＩＩ）は側面図、（ＩＩＩ）展開図
【図５】掘返しブレードの詳細を示すすもので、（Ｉ）は展開図、（ＩＩ）は側面図、（ＩＩＩ）正面図、(ＩＶ)は平面図
【図６】第２の実施形態を示す概略説明図で、（Ｉ）は平面の配列関係を示す配置図、（ＩＩ）は掘削ブレードの高さ関係を示す概略図
【図７】第３の実施形態を示す概略説明図で、（Ｉ）は平面の配列関係を示す配置図、（ＩＩ）は掘削ブレードの高さ関係を示す概略図
【符号の説明】
【００３６】
１：掘り起し装置
２：メインシャフト
３：掘起しブレード部材
４：掘削ブレード
５：掘返しブレード
６：小孔
７：スライダー
８：ピン
９：ガイド
１０：サイドビーム
１１：小孔
１２：スライドガイド
１３：掘削アーム
１４：小孔
１５：固定手段
１６：掬い面
１７：逃げ面
１８：掬い部
１９：固定手段
２０：安定板
２１：キャップ部材
２２：固定手段
２３：ヒンジ部
２４：ガイド
２５：アーム
２６：ネジ軸
２７：小孔
２８：小孔
２９：固定座
３０：安定板
３１：取付けフレーム
３２：取付けバー
３３：支持アーム
【図１】
2005137327.tif 000003
【図２】
2005137327.tif 000004
【図３】
2005137327.tif 000005
【図４】
2005137327.tif 000006
【図５】
2005137327.tif 000007
【図６】
2005137327.tif 000008
【図７】
2005137327.tif 000009